(57)【要約】【課題】  本発明は揚げ物用の油の劣化を効率よく阻止することができるとともに、揚げ物用の油の加熱された熱エネルギーが水層へ流出するのを効率よく阻止して、水層の温度が高くなるのを防止でき、かつ経済的にフライを揚げることができるフライヤーを得るにある。【解決手段】  水と揚げ物用の油が収納される貯槽と、この貯槽の油が位置する油層を加熱するヒーターとを備えたフライヤーにおいて、前記貯槽の油層と水が位置する水層との境界面の面積を小さくするための上面が山形形状あるいは弧状の水や揚げかす、を前記水層へ落下させる傾斜面を有する少なくとも１個以上の仕切体を前記貯槽内に設けてフライヤーを構成している。【選択図】  図１
2012249912.tif 000002
【特許請求の範囲】
【請求項１】
水と揚げ物用の油が収納される貯槽と、この貯槽の油が位置する油層を加熱するヒーターとを備えたフライヤーにおいて、前記貯槽の油層と水が位置する水層との境界面の面積を小さくするための上面が山形形状あるいは弧状の水や揚げかす、を前記水層へ落下させる傾斜面を有する少なくとも１個以上の仕切体を前記貯槽内に設けたことを特徴とするフライヤー。
【請求項２】
仕切体は輪郭が野球のホームベース形状の筒部材で、内部に空気が流入できるように貯槽に透孔が形成された所に設置されていることを特徴とする請求項１記載のフライヤー。
【請求項３】
貯槽は耐熱接着剤を用いて透明な耐熱ガラスを筒状に形成されたものであることを特徴とする請求項１記載のフライヤー。
【請求項４】
貯槽の下面は傾斜面の底板で覆われ、かつ底板の下方に位置する部位の貯槽の壁面には開閉弁が設けられた排出管が設けられていることを特徴とする請求項１記載のフライヤー。
【発明の詳細な説明】
【技術分野】
【０００１】
本発明は天ぷら、フライドポテト、コロッケ等を揚げる油層と水層を形成する貯槽を備えるフライヤーに関する。
【背景技術】
【０００２】
従来、油層と水層を形成する貯槽を用いたフライヤーは、揚げかすを水層部分へ落下させて、油の劣化を防止して油の寿命の長期化を図れるようにしている。
しかしながら、油層と水層とが境界面で接触しているため、油層の加熱された熱エネルギーが水層へ流出して、熱エネルギーの損失になり、揚げ物の製造コストが高くなるという欠点があった。
【先行技術文献】
【特許文献】
【０００３】
【特許文献１】特開２０１０−１７２６７７号公報
【特許文献２】特開２０１０−１８３９７１号公報
【発明の概要】
【発明が解決しようとする課題】
【０００４】
本発明は以上のような従来の欠点に鑑み、揚げ物用の油の劣化を効率よく阻止することができるとともに、揚げ物用の油の加熱された熱エネルギーが水層へ流出するのを効率よく阻止して、水層の温度が高くなるのを防止でき、かつ経済的にフライを揚げることができるフライヤーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は水と揚げ物用の油が収納される貯槽と、この貯槽の油が位置する油層を加熱するヒーターとを備えたフライヤーにおいて、前記貯槽の油層と水が位置する水層との境界面の面積を小さくするための上面が山形形状あるいは弧状の水や揚げかすを前記水層へ落下させる傾斜面を有する少なくとも１個以上の仕切体を前記貯槽内に設けてフライヤーを構成している。
【発明の効果】
【０００７】
以上の説明から明らかなように、本発明にあっては次に列挙する効果が得られる。
（１）請求項１により、少なくとも１個以上の仕切体によって、油層と水層の境界面の面積を小さくできる。
したがって、加熱された油層の熱エネルギーの水層への流出を効率よく阻止でき、経済的にフライを作ることができる。
（２）前記（１）により、少なくとも１個以上の仕切体は上面が山形形状あるいは弧状の水や揚げかすやを水層へ落下させる傾斜面に形成されているので、油層に投入された水や揚げかす、を傾斜面に沿って、スムーズに水層へ落下させることができる。
したがって、油の劣化を効率よく阻止できる。
（３）前記（１）によって、貯槽の油層と水層との境界面に、境界面を小さくする少なくとも１個以上の仕切体を設けるだけでよいので、容易に製造することができるとともに、従来と同様に使用することができる。
（４）請求項２も前記（１）〜（３）と同様な効果が得られるとともに、よりスムーズに水や揚げかす、を水層部分へ落下させることができ、かつ仕切体が水層の水温の冷却機能を図ることができる。
（５）請求項３も前記（１）〜（３）と同様な効果が得られるとともに、油層でのフライの状態や水層に入れた金魚等の泳ぐ状態を見ることができる。
（６）請求項４も前記（１）〜（３）と同様な効果が得られるとともに、水層の下部にたまる、揚げかす等の不純物や、水、油の排出を効率よく行なうことができる。
【図面の簡単な説明】
【０００８】
【図１】本発明を実施するための第１の形態の正面図。
【図２】本発明を実施するための第１の形態の平面図。
【図３】本発明を実施するための第１の形態の側面図。
【図４】図２の４−４線に沿う断面図。
【図５】本発明を実施するための第１の形態の揚げ物をしている時の説明図。
【図６】本発明を実施するための第２の形態の正面図。
【図７】本発明を実施するための第２の形態の背面図。
【図８】本発明を実施するための第２の形態の平面図。
【図９】図８の９−９線に沿う断面図。
【図１０】本発明を実施するための第３の形態の正面図。
【図１１】本発明を実施するための第３の形態の平面図。
【図１２】図１１の１２−１２線に沿う断面図。
【発明を実施するための形態】
【０００９】
以下、図面に示す本発明を実施するための形態により、本発明を詳細に説明する。
【００１０】
図１ないし図５に示す本発明を実施するための第１の形態において、１は本発明のフライヤーで、このフライヤー１は底面の四隅部にキャスター２、２、２、２が取付けられた台座３と、この台座３上に固定された水と揚げ物用の油が収納される貯槽４と、この貯槽４の油が位置する油層５を加熱することができる、該貯槽４に着脱可能に取付けられる加熱部６の上部に金網７が配置された電熱ヒーター８と、前記貯槽４の油層５と水が位置する水層９との境界面１０の面積が小さくなるように、該貯槽４の壁面４ａ、４ａに両端部が固定された上面が山形形状の水や揚げかすを前記水層９へ落下させる傾斜面１１、１１を有する少なくとも１個以上、本発明の実施の形態では所定間隔で３個の野球のホームベース輪郭形状の筒部材状の仕切体１２、１２、１２と、この仕切体１２、１２、１２の両端部が取付けられた壁面４ａ、４ａに形成された、該仕切体１２、１２、１２の内部に空気が入って冷却することができる透孔１３、１３と、前記貯槽４の下面に固定されたシュータとなる傾斜面１４の底板１５と、この底板１５の下方に位置する部位の、前記貯槽４の壁面４ａに取付けられた開閉弁１６が設けられた貯槽４より水や油を排出する排出管１７とで構成されている。
【００１１】
前記貯槽４は，たとえば７００℃の温度に耐える耐熱接着剤１８を用いて、透明な耐熱ガラスを壁面材１９、１９、１９、１９および底板１５として、底部が閉塞された筒状に形成されたものが使用されている。
【００１２】
上記構成のフライヤー１は、貯槽４内に上部より仕切体１２、１２、１２の垂直部材１２ａ、１２ａ、１２ａ、１２ａ、１２ａ、１２ａのほぼ中央部に上面が位置するように水を入れ、水層９を形成する。
【００１３】
次に貯槽４内に上部より揚げ物用の油を、揚げ物の作業が効率よくできるまで入れ、油層５を形成する。
この状態で、電熱ヒーター８で油層５の油を加熱して、揚げ物を行なう最適な温度に油を加熱する。
【００１４】
この油層５の温度が揚げ物を行なう最適な温度になっても、油層５と水層９の境界面１０の面積が複数個の仕切体１２、１２、１２によって小さくなっているため、水層９の水温が上昇しずらく、水層９内に金魚２０等を泳がせることができる。
【００１５】
油層５が揚げ物を行なう最適な温度になったところで、コロッケ、天ぷら、フライドポテト等にする揚げ物用の食材を油層５内へ投入して、揚げ物を行なう。
この時、揚げ物を行なっている時に生ずる、揚げかす、は油層５より複数個の仕切体１２、１２、１２の傾斜面１１、１１、１１、１１、１１、１１より水層９内へ大多数が落下して、油層５より回収できるため、油層５の油の劣化を効率よく阻止できる。
【００１６】
また、油層５の油の温度がある時に、シャワー水を油に噴射すると、油の粒子に付着した塵埃を水層９部分へ落下させて、油の再生を図ることができる。
この時、水は油よりも重く、水が蒸発するまでに水層９へ落下するため、はねたりすることがなく安全にシャワー水を噴射させる作業を行なうことができる。
【００１７】
[発明を実施するための異なる形態]
次に、図６ないし図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図６ないし図９に示す本発明を実施するための第２の形態において、前記本発明を実施するための第１の形態と主に異なる点は、金属材で形成した貯槽４Ａに内部にガスで油層４Ａを加熱するヒーター８Ａのガスコンロ２１を設置し、山形状の上面を除く部位が断熱材２２で断熱された金属材製の仕切体１２Ａを取付けるとともに、該仕切体１２Ａが取付けられた側面部位の貯槽４Ａの側壁４ａに油層５と水層９の境界面１０を確認することができるように透孔２３ａを形成し、該透孔２３ａ部分を耐熱ガラスで覆って覗き部２４を設置した点で、このように構成したフライヤー１Ａにしても、前期本発明を実施するための第１の形態と同様な作用効果が得られる。
なお、仕切体１２Ａの下部位置の貯槽４Ａに水層９内を冷却する風洞２５を設置してもよい。
【００１９】
図１０ないし図１２に示す本発明を実施するための第３の形態において、前記本発明を実施するための第１の形態と主に異なる点は、貯槽４内に上面が弧状の傾斜面１１Ａに形成された１個の仕切体１２Ｂを設けた点で、このように構成されたフライヤー１Ｂにしても、前期本発明を実施するための第１の形態と同様な作用効果が得られる。
【産業上の利用可能性】
【００２０】
本発明は油層と水層が設けられたフライヤーを製造する産業で利用される。
【符号の説明】
【００２１】
１、１Ａ、１Ｂ：フライヤー、  ２：キャスター、
３：台座、        ４、４Ａ：貯槽、
５：油層、        ６：加熱部、
７：金網、        ８、８Ａ：電熱ヒーター、
９：水層、        １０：境界面、
１１、１１Ａ：傾斜面、    １２、１２Ａ、１２Ｂ：仕切体、
１３：透孔、        １４：傾斜面、
１５：底板、        １６：開閉弁、
１７：排出管、      １８：耐熱接着剤、
１９：壁面材、      ２０：金魚、
２１：ガスコンロ、      ２２：断熱材、
２３：耐熱ガラス、      ２４：覗き部、
１５：風洞。
【図１】
2012249912.tif 000003
【図２】
2012249912.tif 000004
【図３】
2012249912.tif 000005
【図４】
2012249912.tif 000006
【図５】
2012249912.tif 000007
【図６】
2012249912.tif 000008
【図７】
2012249912.tif 000009
【図８】
2012249912.tif 000010
【図９】
2012249912.tif 000011
【図１０】
2012249912.tif 000012
【図１１】
2012249912.tif 000013
【図１２】
2012249912.tif 000014